(57)【特許請求の範囲】
【請求項１】
通信端末装置とメッセージを送受信すると共に、受信したメッセージを保管するサービスセンタと、
少なくとも前記保管されるメッセージの宛先である通信端末装置を示す情報及び前記メッセージを保管するサービスセンタを示す情報を管理するメッセージ管理手段と、
前記サービスセンタに対し、所定のタイミングで前記メッセージを前記通信端末装置に送信する旨の送信指示を行う送受信制御手段とを備え、
前記サービスセンタは、前記送受信制御手段から前記送信指示を受信したときに前記メッセージを前記通信端末装置に送信し、
前記メッセージの送信の後、前記サービスセンタが前記通信端末装置から前記メッセージを受信した旨の通知を受信した場合には、
前記サービスセンタは、前記送受信制御手段に対して前記メッセージの送信が成功した旨の通知を行い、
前記送受信制御手段は、前記サービスセンタから前記メッセージの送信が成功した旨の通知を受信した後、次の送信指示を行い、
前記メッセージの送信の後、前記通信端末装置がメッセージを受信することができない場合には、
前記サービスセンタは、前記メッセージを保管し、
前記メッセージ管理手段は、前記通信端末装置からメッセージの受信が可能となった旨の通知を受信したときに前記送受信制御手段に対して前記送信指示を行うことを要求する送信要求を行い、
前記送受信制御手段は、前記メッセージ管理手段から前記送信要求を受信したときに前記サービスセンタに対して前記送信指示を行うことを特徴とするメッセージサービスシステム。
【請求項２】
前記メッセージ管理手段は、宛先が同一であって、異なるサービスセンタに複数のメッセージが保管されている場合、各サービスセンタに所定の順位を付与し、
前記送受信制御手段は、前記メッセージ管理手段から宛先が同一であって異なるサービスセンタに保管されている複数のメッセージの送信要求を受信したときは、前記順位が最初のサービスセンタに対して送信指示を行い、前記順位が最初のサービスセンタから前記メッセージの送信が成功した旨の通知を受信したことを確認した後、次の順位のサービスセンタに対して送信指示を行うことを特徴とする請求項１記載のメッセージサービスシステム。
【請求項３】
通信端末装置から受信したメッセージをサービスセンタに保管するメッセージ保管ステップと、
少なくとも前記保管されるメッセージの宛先である通信端末装置を示す情報及び前記メッセージを保管するサービスセンタを示す情報を管理する管理ステップと、
前記メッセージを前記通信端末装置に送信する旨の送信指示を行う送信指示ステップとを含み、
前記メッセージ保管ステップでは、前記送信指示を受信したときに前記メッセージを前記通信端末装置に送信し、
前記メッセージの送信の後、前記サービスセンタが前記通信端末装置から前記メッセージを受信した旨の通知を受信した場合には、
前記メッセージ保管ステップでは、前記メッセージの送信が成功した旨の通知を行い、
前記送信指示ステップでは、前記メッセージの送信が成功した旨の通知を受信した後、次の送信指示を行い、
前記メッセージの送信の後、前記通信端末装置がメッセージを受信することができない場合には、
前記メッセージ保管ステップでは、前記メッセージを保管し、
前記管理ステップでは、前記通信端末装置からメッセージの受信が可能となった旨の通知を受信したときに前記送信指示を行うことを要求する送信要求を行い、
前記送信指示ステップでは、前記送信要求を受信したときに前記送信指示を行うことを特徴とするメッセージサービス方法。
【請求項４】
前記管理ステップでは、宛先が同一であって、異なるサービスセンタに複数のメッセージが保管されている場合、各サービスセンタに所定の順位を付与し、
前記送信指示ステップでは、宛先が同一であって異なるサービスセンタに保管されている複数のメッセージの送信要求を受信したときは、前記順位が最初のサービスセンタに対して送信指示を行い、前記順位が最初のサービスセンタから前記メッセージの送信が成功した旨の通知を受信したことを確認した後、次の順位のサービスセンタに対して送信指示を行うことを特徴とする請求項３記載のメッセージサービス方法。
【発明の詳細な説明】
【０００１】
【発明の属する技術分野】
本発明は、メッセージの送信指示の効率化が図られたメッセージサービスシステム、及びメッセージサービス方法に関する。
【０００２】
【従来の技術】
従来のメッセージサービスでは、移動機の契約者（加入者）は、自己を収容するサービスセンタを介して、他の移動機にメッセージ、例えば、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）規格のショートメッセージを送信することが可能である。
【０００３】
図１３は、従来のメッセージサービスシステムにおけるメッセージの流れを示す図である。移動機３１の契約者は、自己を収容するサービスセンタ１１を介して移動機３２にメッセージを送信することが可能である。すなわち、図１３に示すメッセージサービスシステムにおいて、サービスセンタ１１は、メッセージの発信者毎に割り当てられている。ただし、サービスセンタ１１がメッセージをその送信先の移動機３２に送信しても、その移動機３２がそのメッセージを受信できない場合がある。例えば、送信先の移動機（着信者側）の電源がオフである場合は、送信先の移動機がサービスエリアの圏外にいるような場合である。
【０００４】
図１４は、従来のメッセージサービスシステムにおいて送信先の移動機がメッセージを受信することができない場合の処理を示す図である。まず、移動機３１が自己を収容するサービスセンタ１３（ＳＣ  Ａ）に移動機３２宛のメッセージを送信したとする（（ａ））。この時、例えば移動機３２が圏外にいてそのメッセージを受信することができない場合（（ｂ））、サービスセンタ１３は、そのメッセージを保管（蓄積）する。そして、契約者情報をもつホームロケーションレジスタ（ＨＬＲ）２１のＭＷＤ（Ｍｅｓｓａｇｅ  Ｗａｉｔｉｎｇ  Ｄａｔａ）に、そのメッセージを受け付けた（保管した）サービスセンタ１３のアドレスを記憶する（（ｃ））。このホームロケーションレジスタ２１のＭＷＤは、送信先の移動機（着信者）ごとに設けられている。
【０００５】
次に、移動機３３が自己を収容するサービスセンタ１４（ＳＣ  Ｂ）に移動機３２宛のメッセージを送信したとする（（ｄ））。この時も、移動機３２は圏外にいて、そのメッセージを受信できないとする（（ｅ））。サービスセンタ１４は、そのメッセージを保管し、ホームロケーションレジスタ２１のＭＷＤに、そのメッセージを受け付けた（保管した）サービスセンタ１４のアドレスを記憶する（（ｆ））。
【０００６】
その後、移動機３２がサービスエリア圏内に入って、ホームロケーションレジスタ２１に位置登録をしたとする（（ｇ））。これを契機にホームロケーションレジスタ２１は、移動機３２がメッセージを受信できる状態になったことを認識する。ホームロケーションレジスタ２１は、ＭＷＤを参照し、移動機３２宛のメッセージがサービスセンタに保管されていることを認識する。ホームロケーションレジスタ２１は、まず、ＭＷＤの先頭に記憶されているサービスセンタ１３（ＳＣ  Ａ）のアドレスに基づき、サービスセンタ１３に送信要求信号（図１４中、「Ａｌｅｒｔ−ＳＣ」と記す。）を送信する（（ｈ））。サービスセンタ１３は、送信要求信号を受信すると、保管してある移動機３２宛のメッセージを移動機３２に送信する（（ｉ））。
【０００７】
移動機３２は、メッセージを受信すると、サービスセンタ１３にメッセージを受信したことを通知する送信レポート（例えば、Ａｃｋ信号）を送信する（（ｊ））。ホームロケーションレジスタ２１は、サービスセンタ１３に送信要求信号を送信した時点で、ＭＷＤの先頭に記憶されているアドレスを削除し、次に記憶されているサービスセンタ１４（ＳＣ  Ｂ）のアドレスに基づいてサービスセンタ１４に送信要求信号を送信する（（ｋ））。サービスセンタ１４は、送信要求信号を受信すると、保管してある移動機３２宛のメッセージを移動機３２に送信する（（ｌ））。移動機３２は、メッセージを受信すると、サービスセンタ１４に受信したことを通知する送信レポート（例えば、Ａｃｋ信号）を送信する（（ｍ））。
【０００８】
なお、同一の移動機宛のメッセージを２件以上保管している場合、サービスセンタ１３、１４は、その移動機から送信レポートを受信するまで、保管しているその移動機宛の次のメッセージを送信しない。
【０００９】
【発明が解決しようとする課題】
しかし、従来のメッセージサービスシステムにおいては、特定の移動機宛のメッセージが複数のサービスセンタに保管されている場合、ホームロケーションレジスタは同時に複数のサービスセンタに送信要求信号を送信してしまうため、移動機に複数のサービスセンタから同時にメッセージが送信されることがある。その結果、メッセージが不達となってしまうことがあった。
【００１０】
例えば、図１４において、移動機３２宛のメッセージＭ１、Ｍ２がサービスセンタ１３に保管され、メッセージＭ３がサービスセンタ１４に保管されたとする。送信先の移動機３２がメッセージを受信できる状態になると、ホームロケーションレジスタ２１はサービスセンタ１３とサービスセンタ１４に送信要求信号を送信する。サービスセンタ１３は送信要求信号を受信するとメッセージＭ１及びＭ２を移動機３２に送信する。また、サービスセンタ１４は送信要求信号を受信するとメッセージＭ３を移動機３２に送信する。この時、サービスセンタ１３とサービスセンタ１４とから送信されるメッセージが移動機３２に同時に到着し、移動機３２がどちらかのメッセージを受信できなくなることが起り得る。
【００１１】
本発明は、このような事情に鑑みてなされたものであり、メッセージサービスにおいて複数のサービスセンタにメッセージが保管されている場合、メッセージの不達を防止し、各メッセージを確実に宛先に送信することができるメッセージサービスシステム、及びメッセージサービス方法を提供すること目的とする。
【００１２】
【課題を解決するための手段】
上記の目的を達成するため、本発明に係るメッセージサービスシステムは、通信端末装置とメッセージを送受信すると共に、受信したメッセージを保管するサービスセンタと、少なくとも保管されるメッセージの宛先である通信端末装置を示す情報及びメッセージを保管するサービスセンタを示す情報を管理するメッセージ管理手段と、サービスセンタに対し、所定のタイミングでメッセージを通信端末装置に送信する旨の送信指示を行う送受信制御手段とを備え、サービスセンタは、送受信制御手段から送信指示を受信したときにメッセージを通信端末装置に送信し、メッセージの送信の後、サービスセンタが通信端末装置からメッセージを受信した旨の通知を受信した場合には、サービスセンタは、送受信制御手段に対してメッセージの送信が成功した旨の通知を行い、送受信制御手段は、サービスセンタからメッセージの送信が成功した旨の通知を受信した後、次の送信指示を行い、メッセージの送信の後、通信端末装置がメッセージを受信することができない場合には、サービスセンタは、メッセージを保管し、メッセージ管理手段は、通信端末装置からメッセージの受信が可能となった旨の通知を受信したときに送受信制御手段に対して送信指示を行うことを要求する送信要求を行い、送受信制御手段は、メッセージ管理手段から送信要求を受信したときにサービスセンタに対して送信指示を行う構成を採る。
【００１４】
また、前記メッセージ管理手段は、宛先が同一であって、異なるサービスセンタに複数のメッセージが保管されている場合、各サービスセンタに所定の順位を付与し、前記送受信制御手段は、前記メッセージ管理手段から宛先が同一であって異なるサービスセンタに保管されている複数のメッセージの送信要求を受信したときは、前記順位が最初のサービスセンタに対して送信指示を行い、前記順位が最初のサービスセンタから前記メッセージの送信が成功した旨の通知を受信したことを確認した後、次の順位のサービスセンタに対して送信指示を行う構成を採ってもよい。
【００１７】
また、本発明に係るメッセージサービス方法は、通信端末装置から受信したメッセージをサービスセンタに保管するメッセージ保管ステップと、少なくとも保管されるメッセージの宛先である通信端末装置を示す情報及びメッセージを保管するサービスセンタを示す情報を管理する管理ステップと、メッセージを通信端末装置に送信する旨の送信指示を行う送信指示ステップとを含み、メッセージ保管ステップでは、送信指示を受信したときにメッセージを通信端末装置に送信し、メッセージの送信の後、サービスセンタが通信端末装置からメッセージを受信した旨の通知を受信した場合には、メッセージ保管ステップでは、メッセージの送信が成功した旨の通知を行い、送信指示ステップでは、メッセージの送信が成功した旨の通知を受信した後、次の送信指示を行い、メッセージの送信の後、通信端末装置がメッセージを受信することができない場合には、メッセージ保管ステップでは、メッセージを保管し、管理ステップでは、通信端末装置からメッセージの受信が可能となった旨の通知を受信したときに送信指示を行うことを要求する送信要求を行い、送信指示ステップでは、送信要求を受信したときに送信指示を行う構成を採る。
【００１９】
また、前記管理ステップでは、宛先が同一であって、異なるサービスセンタに複数のメッセージが保管されている場合、各サービスセンタに所定の順位を付与し、前記送信指示ステップでは、宛先が同一であって異なるサービスセンタに保管されている複数のメッセージの送信要求を受信したときは、前記順位が最初のサービスセンタに対して送信指示を行い、前記順位が最初のサービスセンタから前記メッセージの送信が成功した旨の通知を受信したことを確認した後、次の順位のサービスセンタに対して送信指示を行う構成を採ってもよい。
【００２０】
本発明によれば、メッセージの送信が成功した旨の通知の受信を確認した後で、次の送信指示を行うので、メッセージの到達順序の適正化が図られ、複数のサービスセンタから同時に宛先の通信端末装置へ送信されることがなくなり、メッセージの不達を防止することが可能となる。
【００２１】
【発明の実施の形態】
（実施の形態１）
図１は、本発明の実施の形態１に係るメッセージサービスシステムの概略構成を示す図である。このメッセージサービスシステムは、サービスセンタ１１１（ＳＣ＃１）、及びサービスセンタ１１２（ＳＣ＃２）と、ホームロケーションレジスタ（ＨＬＲ）１２１と、交換機１４１、１４２と、送受信管理サーバ１５１とから構成されている。ホームロケーションレジスタ１２１は、ＭＷＤ（Ｍｅｓｓａｇｅ  Ｗａｉｔｉｎｇ  Ｄａｔａ）を備えており、ＭＷＤには、メッセージに関する情報を記録することができる。なお、送受信管理サーバ１５１とホームロケーションレジスタ１２１とは一体であってもよい。また、ホームロケーションレジスタ１２１と交換機１４１、１４２とが一体であってもよい。また、ホームロケーションレジスタ１２１とサービスセンタ１１１、１１２とを直接接続してもよい。移動機１３１、１３２は、交換機１４１、１４２を介して（さらに基地局を介してもよい。）メッセージサービスシステムと通信することが可能である。
【００２２】
実施の形態１に係るメッセージサービスシステムで送受信されるメッセージは、ショートメッセージである。ショートメッセージは、最大１４０［ｏｃｔｅｔ］のテキストからなるメッセージであり、ＧＳＭ（Ｇｌｏｂａｌ  Ｓｙｓｔｅｍｆｏｒ  Ｍｏｂｉｌｅ  ｃｏｍｍｕｎｉｃａｔｉｏｎｓ）標準で規定されている。ただし、本発明は、ショートメッセージ以外のメッセージをサービスとするシステムに対しても適用することが可能である。
【００２３】
図２は、実施の形態１に係るメッセージサービスシステムにおいて、移動機１３１宛のメッセージがサービスセンタ１１１及び１１２に保管されている場合の処理を示す図である。まず、移動機１３１がメッセージを受信できる状態になったことをホームロケーションレジスタ１２１に通知する（（ａ））。これを契機としてホームロケーションレジスタ１２１は、移動機１３１がメッセージを受信できる状態になったことを認識する。ホームロケーションレジスタ１２１は、ＭＷＤを参照して移動機１３１宛のメッセージがサービスセンタ１１１及び１１２に保管されていることを認識する。この場合、各サービスセンタには順位が付与されており、サービスセンタ１１１（ＳＣ＃１）が第１位、サービスセンタ１１２（ＳＣ＃２）が第２位となっている。この順位に従って送受信管理サーバ１５１は各サービスセンタに対して送信指示を行う。
【００２４】
ホームロケーションレジスタ１２１は、各メッセージを保管しているサービスセンタに、それらのメッセージをその送信先である移動機１３１に送信するように指示する信号を送受信管理サーバ１５１に送信する（（ｂ））。この送信指示は、送信要求信号（例えば、Ａｌｅｒｔ−ＳＣ信号）の送信により行う。
【００２５】
ＭＷＤの先頭に記憶されたメッセージ情報に基づいてこのような送信指示を行う契機としては、ＭＷＤに記憶されているメッセージ情報に変動（増減）があった場合が考えられる。さらに、移動機が位置登録を行った場合に指示を行うようにしてもよい。また、サービスセンタが移動機にメッセージを送信しても移動機が受信できない場合があるため、移動機からの応答がない場合には、サービスセンタはメッセージを再度移動機に送信する。サービスセンタが自主的に再度メッセージを送信するようにしてもよいし、ホームロケーションレジスタがサービスセンタに再度送信指示を行うようにしてもよい。また、移動機が位置登録を行った場合にホームロケーションレジスタが再度送信指示を行うようにしてもよい。
【００２６】
送受信管理サーバ１５１は、送信指示を受信すると、メッセージを保管するサービスセンタ１１１に、その送信先の移動機１３１に保管しているメッセージを送信するように指示する（（ｃ））。この送信指示は、送信要求信号（例えば、Ａｌｅｒｔ−ＳＣ信号）の送信により行う。
【００２７】
サービスセンタ１１１は、送信指示を受けると、そのメッセージを送信先の移動機１３１に送信する（（ｄ））。移動機１３１は、メッセージを受信すると、サービスセンタ１１１に対し、受信したことを通知する送信レポートを送信する（（ｅ））。サービスセンタ１１１は、移動機１３１から送信レポートを受信すると、送受信管理サーバ１５１に送信が成功した旨の成功通知を行う（（ｆ））。
【００２８】
送受信管理サーバ１５１がサービスセンタ１１１から成功通知を受信すると、次にメッセージを保管しているサービスセンタ１１２に対して送信指示を行う（（ｇ））。サービスセンタ１１２は、送信指示を受信すると、そのメッセージを送信先の移動機１３１に送信し（（ｈ））、移動機１３１は、メッセージを受信するとサービスセンタ１１２に対して送信レポートを送信する（（ｉ））。サービスセンタ１１２は、送信レポートを受信すると、送受信管理サーバ１５１に送信が成功した旨の成功通知を行う（（ｊ））。
【００２９】
（実施の形態２）
図３は、実施の形態２に係るメッセージサービスシステムの概略構成を示す図である。ＳＭＳＣ（ＭＰＳ）３０１は、ショートメッセージの送受信機能と不達メッセージの保存機能とを有するノードである。ＧＭＳＣ（ＭＭＳ）３０２は、ＭＰＳとの接続機能と、ＭＳ追跡接続機能と、ショートメッセージの中継機能と、制御信号（ＮＭＳＣＰからの送信要求信号）の中継機能とを有するノードである。ＬＭＳＣ（ＭＭＳ）３０３は、無線装置３０５との接続機能と、ショートメッセージの中継機能と、一斉呼出（ＭＳ３０６の呼出）機能とを有するノードである。ＨＬＲ（ＮＭＳＣＰ）３０４は、ホームロケーションレジスタであり加入者サービス情報管理機能と、加入者在圏位置管理機能と、ショートメッセージ蓄積先ＭＰＳ管理機能と、ショートメッセージの送信要求を行う機能とを有するノードである。無線装置３０５は、ショートメッセージを中継する機能と、無線信号を制御する機能とを有するノードである。ＭＳ３０６は、ショートメッセージの送受信機能と、位置登録機能と、ショートメッセージを要求する機能と、液晶画面を有し、データを表示する機能とを有するノードである。
【００３０】
図４（ａ）は、標準化によるメッセージの送信プロセスを示す図であり、同（ｂ）は、標準化によるメッセージの受信プロセスを示す図である。図４（ａ）において、発信ＭＳ４０１は、図示しない無線装置を介してメッセージをＬＭＳＣ３０３へ送信する。ＬＭＳＣ３０３は受信したメッセージをＧＭＳＣ３０２へ転送する。最後に、メッセージは、発信者用のＳＭＳＣ３０１に保管される。ここで、発信ＭＳ４０１は、自ＳＭＳＣのアドレスを保持しておき、メッセージ送信時にはそのアドレスを持ってＳＭＳＣまでメッセージがルーティングされる。従って、発信者によってＳＭＳＣは特定される。
【００３１】
また、図４（ｂ）において、着信ＭＳ４０２が受信できる状態になるとＨＬＲ３０４は、ＧＭＳＣ３０２に対してメッセージの送信要求を行う。ＧＭＳＣ３０２は、メッセージの送信要求を受信すると、発信者用ＳＭＳＣ３０１に対してメッセージを送信する指示を行う。発信者用ＳＭＳＣ３０１は、メッセージの送信指示を受けると、保管している着信ＭＳ４０２宛のメッセージを送信する。発信者用ＳＭＳＣ３０１から送信されたメッセージは、ＧＭＳＣ３０２、ＬＭＳＣ３０３を介して着信ＭＳ４０２に送信される。
【００３２】
図５は、特定通信事業者と契約している加入者がメッセージを送信する例を示す図である。アドレスが００１の移動機であるＭＳは、アドレスが０９９のサービスセンタであるＳＣへメッセージを発信すると、アドレスが０９２であるＭＰＳと接続するＩＷ−ＭＭＳにルーティングされる。次に、アドレスが０９２のＭＰＳ＃２と接続するＭＭＳへルーティングされ、最後にアドレスが０９２であるＭＰＳ＃２へルーティングされる。ここでは、０００〜０９９を当該特定通信事業者の番号帯としている。
【００３３】
図６は、特定通信事業者と契約している加入者へメッセージを送信する例を示す図である。ＨＬＲは、加入者プロファイルに基づいて、アドレスが００１であるＭＳが在圏エリアであることを認識すると、ＭＭＳに対してアドレスが０９２のサービスセンタＭＰＳ＃２にメッセージの送信指示を行うように指示する。ＭＭＳは、この指示を受けると、アドレスが０９２のサービスセンタＭＰＳ＃２にアドレスが００１である移動機へメッセージを送信するように指示する。サービスセンタＭＰＳ＃２は、この指示を受けると、アドレスが００１のＭＳに対して保管しているメッセージを送信する。
【００３４】
図７は、特定通信事業者と契約していない加入者がメッセージを送信する例を示す図である。アドレスが００１の移動機であるＭＳは、アドレスが０９９のサービスセンタであるＳＣへメッセージを発信すると、０９９というアドレスに基づいて、特定通信事業者の番号帯であると認識され、特定通信事業者のＧＭＭＳまでルーティングされる。特定通信事業者のＧＭＭＳでは、ＭＳのアドレス（００１）に基づいて、アドレスが０９２であるＭＰＳ＃２と接続するＩＷ−ＭＭＳにルーティングされる。最後にアドレスが０９２であるＭＰＳ＃２へルーティングされる。ここでは、０００〜０９９を当該特定通信事業者の番号帯としている。
【００３５】
図８は、特定通信事業者と契約していない加入者がメッセージを受信する例を示す図である。ＨＬＲは、他網の加入者プロファイルに基づいて、アドレスが００１であるＭＳが在圏エリアであることを認識すると、ＭＭＳに対してアドレスが０９２のサービスセンタＭＰＳ＃２にメッセージの送信指示を行うように指示する。ＭＭＳは、この指示を受けると、アドレスが０９２のサービスセンタＭＰＳ＃２にアドレスが００１である移動機へメッセージを送信するように指示する。サービスセンタＭＰＳ＃２は、この指示を受けると、アドレスが００１のＭＳに対して保管しているメッセージを送信する。この後、他網のＧ−ＭＳＣまでルーティングされ、メッセージが他網のＭＳに受信される。
【００３６】
図９は、実施の形態２に係るメッセージサービスシステムにおいて、メッセージが送信先に到達しなかった場合の動作を示す図である。移動機９００が圏外にいる場合、又は電源を切断している場合等によりショートメッセージを受信できないときは、次のような方法によりメッセージを保管する。また、保管先ＳＭＳＣはホームロケーションレジスタ（ＨＬＲ）に登録される。ここでは、移動機９００が圏外にいてメッセージが受信できない場合のシーケンスを示す。まず、ＳＭＳＣ９０１がＧＭＳＣ９０２に対してメッセージ送信要求を行う（１）。ＧＭＳＣ９０２は、ＬＭＳＣ９０３に対してメッセージ送信要求を行う（２）。ＬＭＳＣ９０３は、ＭＳの一斉呼出を行う（３）。しかし、メッセージの送信先であるＭＳ９００が圏外にいるため、メッセージが受信されない。このため、ＬＭＳＣ９０３は、ＧＭＳＣ９０２に対してエラー応答を行う（４）。ＧＭＳＣ９０２は、メッセージ蓄積先ＳＭＳＣをＨＬＲ９０４に登録する（５）。この登録は、図９に示すように、例えば、着信番号がＭＳ−ａ、メッセージ蓄積先ＳＭＳＣ番号がＳＭＳＣ−ａのように、送信先毎に管理される。ＨＬＲ９０４は、ＧＭＳＣ９０２に対して登録応答を行う（６）。ＧＭＳＣ９０２は、ＳＭＳＣ９０１に対してエラー応答を行う（７）。
【００３７】
図１０は、実施の形態２に係るメッセージサービスシステムにおいて、メッセージが送信先に到達しなかった場合のメッセージ取り出し方法を示す図である。移動機９００が圏外にいる場合、又は電源を切断している場合等によりショートメッセージを受信できずにＳＭＳＣ９０１にメッセージが保管されている場合、そのメッセージの取り出し方法としては、ＳＭＳＣ９０１からの自動再送信をする方法と、移動機９００から送信要求を行う方法等が考えられる。ここでは、移動機９００から送信要求を行う方法を説明する。移動機ＭＳ９００がＬＭＳＣ９０３に対してメッセージの取り出し要求を行う（１）。ＬＭＳＣ９０３は、ＨＬＲ９０４に対してメッセージの取り出し要求を行う（２）。ＨＬＲ９０４は、ＬＭＳＣ９０３に対して取り出し受付けの応答を行うと共に（３）、ＧＭＳＣ９０２に対してメッセージの取り出し要求を行う（４）。ＧＭＳＣ９０２は、ＨＬＲ９０４に対して取り出し要求の受付け応答を行うと共に（５）、ＳＭＳＣ９０１に対してメッセージの取り出し要求を行う（６）。ＳＭＳＣ９０１は、ＧＭＳＣ９０２に対してメッセージの送信要求を行う（７）。これ以降は、サービスセンタから移動機へメッセージが送信される通常のシーケンスと同様である。
【００３８】
（実施の形態３）
図１１は、複数の発信者からのショートメッセージが着信者の状況により複数のサービスセンタに保管されている場合の状態を示す図である。ＭＳ５０１〜５０３は、発信者側の移動機であり、ＳＭＳＣ５０４〜５０６は、各移動機に対応したサービスセンタである。ＬＭＳＣ５０７は、移動機ＭＳ５０９に対するメッセージを中継する機能を有し、ＨＬＲ５０８は、ホームロケーションレジスタである。図１１に示すように、着信ＭＳ−ｄ（ＭＳ５０９）のメッセージ送信要求によりＨＬＲ５０８は、メッセージ保管先ＳＭＳＣ番号として登録してあるすべてのＳＭＳＣに対し、メッセージ送信を要求する。しかし、ＨＬＲ５０８からのメッセージ取り出し要求に対するＳＭＳＣからの応答信号は定義されていないため、複数のＳＭＳＣからの同時受信の場合は、次のような対応が必要となる。
【００３９】
すなわち、▲１▼ＨＬＲ５０８でタイミングをとって、順番に各ＳＭＳＣに取り出し要求を送信する、▲２▼ＬＭＳＣ５０７において、複数のＳＭＳＣからの同時メッセージ送信を一括受信し、メッセージを一つずつ着信ＭＳ５０９に送信する、▲３▼ＬＭＳＣ５０７と着信ＭＳ５０９との間に複数コネクションを設定し、着信ＭＳ５０９で同時に複数メッセージを受信する、という対応方法である。ただし、上記▲１▼〜▲３▼までは標準化されておらず、▲１▼については最初に要求したＳＭＳＣからのメッセージ送信が終了したかどうか不明の状態でＨＬＲは起動をかけなければならず、信頼性を欠く。また、▲２▼、▲３▼については、ＬＭＳＣやＭＳのスペックにより、特にローミングによりＭＳが他網に在圏している場合に、必ず在圏側オペレータが対応しているとは限らないため、契約者を管理しているオペレータ（ＳＭＳＣ）が蓄積しているメッセージを早く確実に着信者に対して送信するというサービスを提供することが困難である。
【００４０】
そこで、実施の形態３では、ＨＬＲからＳＭＳＣに対するメッセージ取り出し要求に対し、ＳＭＳＣからの応答信号をやり取りする手法を取る。ＳＭＳＣは、自局からのメッセージ送信が終了した時点で、ＨＬＲに応答信号を送信する。ＨＬＲは、応答信号受領後、自局に登録してある着信者対応の次のＳＭＳＣに対し、メッセージ取り出し要求を送信する。
【００４１】
図１２は、実施の形態３に係るメッセージの取り出し方法を示す図である。ＭＳ６０４が、ＬＭＳＣ６０２に対してメッセージの送信要求を行う（１）。ＬＳＭＣ６０２は、ＨＬＲ６０３に対してメッセージの取り出し要求を行う（２）。ＨＬＲ６０３は、ＬＭＳＣ６０２に対して取り出し受付け応答を行う（３）。ＨＬＲ６０３は、ＧＭＳＣ６０１に対してメッセージの取り出し要求を行う（４）。ＧＭＳＣ６０１は、ＨＬＲ６０３に対して取り出し受付け応答を行う（５）。ＧＭＳＣ６０１は、ＳＭＳＣ６００に対してメッセージの取り出し要求を行う（６）。ＳＭＳＣ６００は、ＧＭＳＣ６０１に対してメッセージの送信要求を行う（７）。以下、シーケンス７からシーケンス１２までは、サービスセンタから移動機へメッセージが送信される通常のシーケンスと同様である。次に、ＳＭＳＣ６００は、ＧＭＳＣ６０１に対して送信完了通知を行う（１３）。ＧＭＳＣ６０１は、ＨＬＲ６０３に対して送信完了通知を行う（１４）。ＨＬＲ６０３は、ＧＭＳＣ６０１に対して送信完了応答を行う（１３）。ＧＭＳＣ６０１は、ＳＭＳＣ６００に対して送信完了応答を行う（１６）。
【００４２】
このように、実施の形態３によれば、ＬＭＳＣやＭＳなどの在圏オペレータのショートメッセージの送信方法によらず、契約オペレータから確実にメッセージを送信することが可能となる。また、途中のＳＭＳＣでＭＳへのメッセージ送信ができなくなった場合、ＨＬＲは次のＳＭＳＣへメッセージ取り出し要求を起動しないことにより、無効な信号の送信を抑止することが可能となる。
【００４３】
【発明の効果】
本発明に係るメッセージサービスシステムは、通信端末装置とメッセージを送受信すると共に、受信したメッセージを保管するサービスセンタと、少なくとも前記保管されるメッセージの宛先である通信端末装置を示す情報及び前記メッセージを保管するサービスセンタを示す情報を管理するメッセージ管理手段と、前記サービスセンタに対し、所定のタイミングで前記メッセージを前記通信端末装置に送信する旨の送信指示を行う送受信制御手段とを備え、前記サービスセンタは、前記送受信制御手段から前記送信指示を受信したときに前記メッセージを前記通信端末装置に送信し、前記メッセージの送信の後、前記サービスセンタが前記通信端末装置から前記メッセージを受信した旨の通知を受信した場合には、前記サービスセンタは、前記送受信制御手段に対して前記メッセージの送信が成功した旨の通知を行い、前記送受信制御手段は、前記サービスセンタから前記メッセージの送信が成功した旨の通知を受信した後、次の送信指示を行い、前記メッセージの送信の後、前記通信端末装置がメッセージを受信することができない場合には、前記サービスセンタは、前記メッセージを保管し、前記メッセージ管理手段は、前記通信端末装置からメッセージの受信が可能となった旨の通知を受信したときに前記送受信制御手段に対して前記送信指示を行うことを要求する送信要求を行い、前記送受信制御手段は、前記メッセージ管理手段から前記送信要求を受信したときに前記サービスセンタに対して前記送信指示を行う構成を採る。
【００４４】
本発明によれば、メッセージの送信が成功した旨の通知の受信を確認した後で、次の送信指示を行うので、メッセージの到達順序の適正化が図られ、複数のサービスセンタから同時に宛先の通信端末装置へ送信されることがなくなり、メッセージの不達を防止することが可能となる。
【図面の簡単な説明】
【図１】本発明の実施の形態１に係るメッセージサービスシステムの概略構成を示す図である。
【図２】実施の形態１に係るメッセージサービスシステムにおいて、移動機宛のメッセージがサービスセンタに保管されている場合の処理を示す図である。
【図３】実施の形態２に係るメッセージサービスシステムの概略構成を示す図である。
【図４】（ａ）  標準化によるメッセージの送信プロセスを示す図である。
（ｂ）  標準化によるメッセージの受信プロセスを示す図である。
【図５】特定通信事業者と契約している加入者がメッセージを送信する例を示す図である。
【図６】特定通信事業者と契約している加入者へメッセージを送信する例を示す図である。
【図７】特定通信事業者と契約していない加入者がメッセージを送信する例を示す図である。
【図８】特定通信事業者と契約していない加入者がメッセージを受信する例を示す図である。
【図９】実施の形態２に係るメッセージサービスシステムにおいて、メッセージが送信先に到達しなかった場合の動作を示す図である。
【図１０】実施の形態２に係るメッセージサービスシステムにおいて、メッセージが送信先に到達しなかった場合のメッセージ取り出し方法を示す図である。
【図１１】複数の発信者からのショートメッセージが着信者の状況により複数のサービスセンタに保管されている場合の状態を示す図である。
【図１２】実施の形態３に係るメッセージの取り出し方法を示す図である。
【図１３】従来のメッセージサービスシステムにおけるメッセージの流れを示す図である。
【図１４】従来のメッセージサービスシステムにおいて送信先の移動機がメッセージを受信することができない場合の処理を示す図である。
【符号の説明】
１１１…サービスセンタ、１１２…サービスセンタ、１２１…ホームロケーションレジスタ、１２１…メッセージ管理手段、１３１…移動機、１４１…交換機、１４２…交換機、１５１…送受信管理サーバ。
【図１】
0003820108.tif 000002
【図２】
0003820108.tif 000003
【図３】
0003820108.tif 000004
【図４】
0003820108.tif 000005
【図５】
0003820108.tif 000006
【図６】
0003820108.tif 000007
【図７】
0003820108.tif 000008
【図８】
0003820108.tif 000009
【図９】
0003820108.tif 000010
【図１０】
0003820108.tif 000011
【図１１】
0003820108.tif 000012
【図１２】
0003820108.tif 000013
【図１３】
0003820108.tif 000014
【図１４】
0003820108.tif 000015